【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
溶融金属を搬送するチャンネルと、
燃焼ガスが前記チャンネルに入るのを防止しながら前記燃焼ガスを受け入れて循環させるエンクロージャーと、
前記チャンネルの少なくとも一部を前記エンクロージャーから隔離する熱伝導材料体と、
燃焼ガスを生成し、該ガスを前記エンクロージャーに供給する燃焼装置と、
を含み、使用中に前記燃焼ガスからの熱が前記熱伝導材料体を通り前記チャンネル内の溶融金属に伝わる溶融金属搬送装置。
【請求項２】
前記材料の熱伝導率が２．５Ｗ／ｍＫから２００Ｗ／ｍＫの範囲である請求項１に記載の装置。
【請求項３】
前記材料の熱伝導率が５Ｗ／ｍＫから８０Ｗ／ｍＫの範囲である請求項１に記載の装置。
【請求項４】
前記材料の熱伝導率が７Ｗ／ｍＫから２５Ｗ／ｍＫの範囲である請求項１に記載の装置。
【請求項５】
前記材料が耐火性金属化合物を含む請求項１〜４の何れか１項に記載の装置。
【請求項６】
前記耐火性金属化合物が炭化ケイ素、窒化ホウ素および窒化ケイ素から成る群より選ばれる請求項５に記載の装置。
【請求項７】
前記材料が少なくとも６５重量％の炭化ケイ素を含む請求項５に記載の装置。
【請求項８】
前記材料が少なくとも金属接触面にコーティング物質を有する金属であり、前記溶融金属による攻撃に耐性を有する請求項１〜７の何れか１項に記載の装置。
【請求項９】
前記金属が鋳鉄である請求項８に記載の装置。
【請求項１０】
前記物質が窒化ホウ素である請求項８または９に記載の装置。
【請求項１１】
前記チャンネルが、上部が開放された溝部により規定され、前記エンクロージャーが前記溝部の外面を取り囲む請求項１〜１０の何れか１項に記載の装置。
【請求項１２】
チャンネルが溶融金属を通すように適合された少なくとも１つのチューブにより規定され、前記材料体が前記少なくとも１つのチューブの壁を形成し、前記エンクロージャーが前記少なくとも１つのチューブを完全に取り囲む請求項１〜１０の何れか１項に記載の装置。
【請求項１３】
前記材料体が前記チャンネル内で支持される中空の管状要素を形成し、前記中空の管状要素が前記要素内の前記取り囲まれた空間を規定する前記エンクロージャーとして機能する請求項１〜１０の何れか１項に記載の装置。
【請求項１４】
溶融金属を搬送する溝部であって上端と前記上端から前記溝部の周りに延在する外面を有する溝部と；
少なくとも部分的に溝部の前記外面を取り囲み、前記外面に近接した少なくとも１つの取り囲まれたチャンバーを含むエンクロージャーと、
チャンバーに入る入口またはチャンバーが１つより多い場合はそれぞれのチャンバーに入る入口であって、それを介して高温燃焼ガスがチャンバーまたはそれぞれのチャンバーに挿入される入口と、
チャンバーまたはチャンバーが１つより多い場合はそれぞれのチャンバーからの出口であって、前記高温燃焼ガスがチャンバーまたはそれぞれのチャンバーを流れ、それによって前記外面を介して熱を溝部に伝えた後に、それを介して前記高温ガスをチャンバーまたはチャンバーが１つより多い場合はそれぞれのチャンバーから取り除くことができる出口と、
を有する溶融金属搬送溝装置。
【請求項１５】
前記エンクロージャーが溝部の実質的に全ての前記外面を取り囲む請求項１４に記載の装置。
【請求項１６】
更に、高温燃焼ガスの流れのジェネレータを少なくとも１つ含み、１つの前記ジェネレータがチャンバーまたはそれぞれのチャンバーの前記入口に位置する請求項１４または１５に記載の装置。
【請求項１７】
前記少なくとも１つのジェネレータが、前記溝の下で概して水平なチャンバーまたはそれぞれのチャンバーに高温燃焼ガスの前記流れを導入する請求項１６に記載の装置。
【請求項１８】
前記溝部が熱伝導性耐火材料で作られている請求項１４〜１７の何れか１項に記載の装置。
【請求項１９】
熱伝導性材料が炭化ケイ素を含む請求項１８に記載の装置。
【請求項２０】
前記溝部の長手方向に一方に続いて他方が配置される少なくとも２つのチャンバーを有する請求項１４〜１９の何れか１項に記載の装置。
【請求項２１】
チャンバーまたはそれぞれのチャンバーが、前記入口から前記出口までの距離で互いに接続され、かつ高温燃焼ガスの前記流れを前記溝部の前記外面に近接して延在する通路に沿って流れるように規制して配置される少なくとも２つのコンパートメントを含む請求項１４〜１９の何れか１項に記載の装置。
【請求項２２】
チャンバーまたはチャンバーが１つより多い場合はそれぞれのチャンバーが使用時に前記高温燃焼ガスを受け入れる内側体積部を有し、前記溝部の前記外面が前記内側体積部に直接暴露されている請求項１４〜１９の何れか１項に記載の装置。
【請求項２３】
一方が、前記溝部に溶融金属が存在する場合に該溶融金属の温度を測定するように配置され、他方が、前記チャンバーまたはチャンバーが１つより多い場合は前記それぞれのチャンバーの少なくとも１つの温度を測定するように配置される少なくとも２つの熱電対を更に含む請求項１４〜２２の何れか１項に記載の装置。
【請求項２４】
前記溝部の前記上端の上に配置された断熱カバーを更に含む請求項１４〜２３の何れか１項に記載の装置。
【請求項２５】
溶融金属を搬送する少なくとも１つのチャンネルと燃焼ガスを受け入れおよび循環するエンクロージャーと前記チャンネルの少なくとも一部分を前記エンクロージャーから分離する熱伝導材料体とを含む金属搬送装置を通って流れる金属に熱を供給する方法であって、
前記チャンネルを通して溶融金属を搬送することと、
燃焼ガスを生成することと、
前記燃焼ガスを規制し該燃焼ガスが前記チャンネルに入るのを防止しながら、前記燃焼ガスを前記エンクロージャーに入れて該エンクロージャーを通り循環させることと、
を含む方法。
【請求項２６】
上端と該上端から溝部の周りを延在する外面とを有する、溶融金属を搬送する溝部を加熱する方法であって、
高温燃焼ガスの動いている少なくとも１つの流れを形成することと、
前記溶融金属を搬送する溝部の外面の少なくとも一部を取り囲む少なくとも１つの取り囲まれた体積部を通って流れるように高温燃焼ガスの前記少なくとも１つの流れを向けて、これにより前記溝部の前記外面の前記少なくとも一部を前記高温燃焼ガスに暴露し、熱が前記外面を通り前記溝部に伝わることが可能となることと、
を含む方法。
【請求項２７】
前記少なくとも１つの取り囲まれた体積部が前記溝部の実質的に全ての前記外面を取り囲んでいる請求項２６に記載の方法。
【請求項２８】
前記少なくとも１つの流れが前記溝部の前記外面に近接して延在する通路を流れるように向けられている請求項２７に記載の方法。
【請求項２９】
前記少なくとも１つの流れが延在した曲がりくねった通路を流れるように向けられている請求項２８に記載の方法。
【請求項３０】
高温燃焼ガスの前記流れが、燃焼用空気の流れの中で燃料を燃焼させることにより形成される請求項２６〜２９のいずれか１項に記載の方法。
【請求項３１】
ガスの前記少なくとも１つの流れが、初期に前記溝部の下を流れるように向けられる請求項２６〜３０のいずれか１項に記載の方法。
【請求項３２】
前記高温燃焼ガスの少なくとも２つの流れが形成され、それぞれが異なる取り囲まれた体積部を流れるように向けられ、それぞれの体積部が前記溝部の長手方向に続けて配置されている請求項２６〜３０のいずれか１項に記載の方法。